(57)【要約】  サンプル分離媒体にウェルを形成することなく、容易にサンプルをサンプル分離媒体に導入するために、電気泳動用カセット（１００）は、未分離のサンプルを含有する多孔質部材（１３２）と、上記サンプルを分離するためのサンプル分離媒体（１１２）と、多孔質部材（１３２）がサンプル分離媒体（１１２）に押し込まれるように多孔質部材（１３２）またはサンプル分離媒体（１１２）を押圧する押し込み器具（１３１）とを備えている。
2013183614.tif 000002
【特許請求の範囲】
【請求項１】
未分離のサンプルを含有する多孔質部材と、
上記サンプルを分離するためのサンプル分離媒体と、
上記多孔質部材が上記サンプル分離媒体に押し込まれるように上記多孔質部材または上記サンプル分離媒体を押圧する押し込み器具とを備えていることを特徴とする電気泳動用カセット。
【請求項２】
上記サンプル分離媒体上に配置され、上記サンプル分離媒体に密着している補助器具をさらに備えており、
上記補助器具に、上記多孔質部材および上記押し込み器具を上記サンプル分離媒体まで挿通させる貫通孔が設けられていることを特徴とする請求項１に記載の電気泳動用カセット。
【請求項３】
上記サンプル分離媒体を、その上面の一部を露出させて収納する絶縁物を備えており、
上記補助器具は、上記絶縁物に嵌合するとともに、上記サンプル分離媒体の露出部分に密着していることを特徴とする請求項２に記載の電気泳動用カセット。
【請求項４】
上記補助器具は、第一当接部を備えており、
上記押し込み器具は、第二当接部を備えており、
上記第一当接部および上記第二当接部は、上記多孔質部材が上記サンプル分離媒体に予め定められた長さまで押し込まれたとき、互いに当接して上記多孔質部材の移動を停止させるようになっていることを特徴とする請求項２または３に記載の電気泳動用カセット。
【請求項５】
上記押し込み器具の側面に、くりぬき部が形成されており、
上記くりぬき部内に、上記多孔質部材が装填されていることを特徴とする請求項１〜４の何れか一項に記載の電気泳動用カセット。
【請求項６】
上記押し込み器具の先端部に、上記サンプル分離媒体に向かって突出する鋭角部が形成されていることを特徴とする請求項１〜５の何れか一項に記載の電気泳動用カセット。
【請求項７】
上記押し込み器具の先端部に、上記多孔質部材が取り付けられていることを特徴とする請求項１〜４の何れか一項に記載の電気泳動用カセット。
【請求項８】
上記多孔質部材が、樹脂、ろ紙、アガロースゲルおよびガラスフィルターからなる群より選ばれる物質からなることを特徴とする請求項１〜７の何れか一項に記載の電気泳動用カセット。
【請求項９】
上記多孔質部材が、親水化されていることを特徴とする請求項１〜８の何れか一項に記載の電気泳動用カセット。
【請求項１０】
上記サンプル分離媒体が、ゲルからなることを特徴とする請求項１〜９の何れか一項に記載の電気泳動用カセット。
【請求項１１】
複数の上記多孔質部材を備え、上記押し込み器具は、上記複数の多孔質部材の各々をそれぞれ上記サンプル分離媒体側に押し込む複数の押し込み部を備えていることを特徴とする請求項１〜１０の何れか一項に記載の電気泳動用カセット。
【請求項１２】
未分離のサンプルを含有する多孔質部材が、上記未分離のサンプルを分離するためのサンプル分離媒体に押し込まれるように、押し込み器具を用いて上記多孔質部材または上記サンプル分離媒体を押圧する押し込み工程と、
押し込んだ上記多孔質部材から上記サンプル分離媒体に移動した上記未分離のサンプルを電気泳動する電気泳動工程とを包含していることを特徴とする電気泳動方法。
【請求項１３】
上記サンプル分離媒体上に、上記サンプル分離媒体に密着するとともに、上記多孔質部材を上記サンプル分離媒体まで挿通させる貫通孔が設けられた補助器具が配置されており、
上記押し込み工程の前に、上記貫通孔に上記未分離のサンプルを含むサンプル溶液をアプライするアプライ工程と、
上記アプライ工程の後、上記押し込み工程の前に、上記サンプル溶液がアプライされた上記貫通孔に上記多孔質部材を挿入することで、上記多孔質部材に上記未分離のサンプルを含有させるサンプル導入工程とをさらに包含することを特徴とする請求項１２に記載の電気泳動方法。
【請求項１４】
上記押し込み工程の前に、上記未分離のサンプルを含むサンプル溶液をサンプル導入用容器に入れる注入工程と、
上記注入工程の後、上記押し込み工程の前に、上記サンプル溶液が入った上記サンプル導入用容器に上記多孔質部材を挿入することで、上記多孔質部材に上記未分離のサンプルを含有させるサンプル導入工程とをさらに包含することを特徴とする請求項１２に記載の電気泳動方法。
【請求項１５】
上記注入工程では、アガロースを上記サンプル導入用容器に入れ、
上記サンプル導入工程では、上記サンプル導入用容器内の該アガロースを加熱して溶融させることを特徴とする請求項１４に記載の電気泳動方法。
【発明の詳細な説明】
【技術分野】
【０００１】
本発明は、電気泳動用カセットおよび電気泳動方法に関する。
【背景技術】
【０００２】
従来、生体試料を分離するための方法として電気泳動法が知られている。電気泳動法とは、タンパク質または核酸などの分離対象サンプルを電気泳動の移動速度の違いに基づいて分離する方法である。特に電解質を含むゲル中へサンプルを導入し、ゲルの両端に電圧を印加することで分離する方法が一般的である。【０００３】
タンパク質を分離する方法として広く知られているのは、ドデシル硫酸ナトリウム（ＳＤＳ）の存在下に、ポリアクリルアミドゲルを用いた電気泳動（以下、「ＳＤＳ−ＰＡＧＥ」とよぶ）である。ＳＤＳ−ＰＡＧＥでは、タンパク質は負の電荷をもつＳＤＳと一定の割合で複合体を形成し、ゲルの両端に電圧を印加することによって、タンパク質−ＳＤＳ複合体はポリアクリルアミドゲル中を陽極の方向へ移動する。その際、ポリアクリルアミドゲルによる分子ふるい効果により、タンパク質は分子量ごとに分離される。【０００４】
ここで、非特許文献１に、平板な２枚のガラス板または樹脂板とその間に挟まれたスペーサーによってできた空間にアクリルアミド溶液を流し込み、その中へサンプルアプライ用の凹部（ウェル）を形成するためのコームを差し込み、容器の中で重合させることによってＳＤＳ−ＰＡＧＥ用のゲルを作製することが記載されている。【０００５】
非特許文献１にはまた、濃度の異なるアクリルアミド溶液の調整を行い、容器の中、非連続で重合させることにより、サンプルタンパク質を分離する分離ゲルおよびサンプルタンパク質を濃縮する濃縮ゲルを作製することが記載されている。【０００６】
また、特許文献１には、電気泳動用支持体ゲルの新規調製法及び支持基盤・電気泳動法であって、試料を配置する部位が楔型の凹部を形成してなる電気泳動用ゲル及び当該ゲルを作成する容器が記載されている。【０００７】
また、近年、分離ゲルおよび濃縮ゲルの界面を同じ長さで複数作製するにはある程度の経験が必要であること、また、ゲル重合に時間がかかることから、あらかじめゲルが詰められている市販のプレキャストゲルカセットの需要が高まっている。【０００８】
市販のプレキャストゲルカセットには２枚の平板なガラス、または２枚の樹脂板の間にゲルが充填されている。そして、サンプル溶液を分離ゲル内へ導入するためのウェルがゲルに形成されており、ユーザーは分離したいサンプル溶液をウェルへ注入し、電気泳動実験を開始する。
【先行技術文献】
【特許文献】
【０００９】
【特許文献１】特開２００４−４５１０７号公報（２００４年２月１２日公開）
【特許文献２】特願２００５−２５２７５５号公報（２００５年８月３１日公開）
【非特許文献】
【００１０】
【非特許文献１】日本電気泳動学会、医歯薬出版株式会社編集、「最新電気泳動実験法」（１９９２年２月発行）
【発明の概要】
【発明が解決しようとする課題】
【００１１】
従来技術に係る電気泳動用のゲルでは、ウェルを形成するためは、コームと呼ばれる鋳型を使用し、電気泳動前にコームを抜くことによってゲルにウェルを形成する。このとき、コームをゲルから抜く作業には、ウェルの型崩れ、ひび割れ、空気が入る可能性があり、細心の注意が必要となる。【００１２】
また、ウェルへサンプル溶液をアプライする際、空気が入らないように注意する必要、および、ピペットチップの先がゲルに突き刺さらないように注意する必要がある。【００１３】
さらに、ウェルの形状、および、ウェルへサンプル溶液をアプライする作業は、電気泳動結果に影響を与えるため、重要な部分である。しかし、ゲルは柔らかい弾性体であるため、ゲルに再現よく均一な形状のウェルを形成することは困難であり、また、上記に記載したコームを抜く際にゲルが変形しやすいという問題から、精度よく作業ができるまでは時間がかかるのが現状である。【００１４】
そして、従来技術において、未分離のサンプルを電気泳動するためには、サンプル分離媒体にウェルを形成することが必須の構成であるため、上述した問題を避けることは困難である。特許文献２には、一次元目の電気泳動を行ったゲルを二次元目の電気泳動用のゲルに接触させることにより、ウェルを形成せずに、一次元目の電気泳動により分離されたサンプルを二次元電気泳動用ゲルに導入することが記載されているが、これは、分離済みのサンプルをサンプル分離媒体に導入する技術であり、未分離のサンプルをサンプル分離媒体に導入する技術ではない。【００１５】
本発明は、上記課題に鑑みてなされたものであり、サンプル分離媒体にウェルを形成することなく、未分離のサンプルをサンプル分離媒体に導入する技術を提供することを主たる目的とする。
【課題を解決するための手段】
【００１６】
上記課題を解決するために、本発明に係る電気泳動用カセットは、未分離のサンプルを含有する多孔質部材と、上記サンプルを分離するためのサンプル分離媒体と、上記多孔質部材が上記サンプル分離媒体に押し込まれるように上記多孔質部材または上記サンプル分離媒体を押圧する押し込み器具とを備えていることを特徴としている。【００１７】
上記構成によれば、押し込み器具は、多孔質部材をサンプル分離媒体に向けて押圧して多孔質部材をサンプル分離媒体に押し込むか、あるいは、押し込み器具に多孔質部材を装着し、押し込み器具ごとサンプル分離媒体に押し込むことによって、未分離のサンプルを含有する多孔質部材をサンプル分離媒体内に挿入することができる。これによって、未分離のサンプルを、多孔質部材を挿入した位置から、サンプル分離媒体へ導入することができる。そのため、ウェルの形成をすることなく未分離のサンプルをサンプル分離媒体に導入することができるとともに、目的のタイミングで、目的の位置へ未分離のサンプルを導入することができるため、ウェル経由で未分離のサンプルを導入した場合に比べて、未分離のサンプルがサンプル分離媒体に拡散せず、電気泳動時に高い分解能を得ることができる。【００１８】
本発明に係る電気泳動用カセットは、上記サンプル分離媒体上に配置され、上記サンプル分離媒体に密着している補助器具をさらに備えており、上記補助器具に、上記多孔質部材および上記押し込み器具を上記サンプル分離媒体まで挿通させる貫通孔が設けられていることが好ましい。【００１９】
上記構成によれば、多孔質部材および押し込み器具をサンプル分離媒体まで挿通させる貫通孔が設けられているため、当該貫通孔を介して、多孔質部材をサンプル分離媒体に押し込むことができる。【００２０】
本発明に係る電気泳動用カセットは、上記サンプル分離媒体を、その上面の一部を露出させて収納する絶縁物を備えており、上記補助器具は、上記絶縁物に嵌合するとともに、上記サンプル分離媒体の露出部分に密着していることが好ましい。【００２１】
上記構成によれば、サンプル分離媒体を絶縁物に収納し、通常のスラブ式電気泳動等のように電気泳動を行うことができる。【００２２】
本発明に係る電気泳動用カセットでは、上記補助器具は、第一当接部を備えており、上記押し込み器具は、第二当接部を備えており、上記第一当接部および上記第二当接部は、上記多孔質部材が上記サンプル分離媒体に予め定められた長さまで押し込まれたとき、互いに当接して上記多孔質部材の移動を停止させるようになっていることが好ましい。【００２３】
上記構成によれば、多孔質部材をサンプル分離媒体に強く押し込んだ場合であっても、多孔質部材がサンプル分離媒体に予め定められた長さまで押し込まれると、第一当接部と第二当接部とが互いに当接し、多孔質部材の移動が停止する。よって、サンプル分離媒体内に、押し込み器具および多孔質部材を押し込んだときの押し込み長を常に一定にすることができる。よって、押し込み器具および多孔質部材がサンプル分離媒体に過度に入り込むことを防ぎ、未分離のサンプルの電気泳動結果を乱すことを防止できるとともに、分析解像度を向上させることができる。【００２４】
本発明に係る電気泳動用カセットは、上記押し込み器具に、くりぬき部が形成されており、上記くりぬき部内に、上記多孔質部材が装填されているものであってもよい。【００２５】
上記構成によれば、多孔質部材が押し込み器具内に装填されているため、電気泳動を行うまでに時間が経過したとしても、多孔質部材をサンプル分離媒体に押し込まなければ、両者が接触することがない。よって、多孔質部材をサンプル分離媒体に押し込む前に未分離のサンプルがサンプル分離媒体に拡散することを防止できる。【００２６】
本発明に係る電気泳動用カセットは、上記押し込み器具の先端部に、上記サンプル分離媒体に向かって突出する鋭角部が形成されているものであってもよい。【００２７】
上記構成によれば、押し込み器具でサンプル分離媒体を押圧する場合、押し込み器具の鋭角部がサンプル分離媒体と接触するため、サンプル分離媒体と押し込み器具との密着面に空気などの気体が入り込むことを防止できる。【００２８】
本発明に係る電気泳動用カセットでは、上記押し込み器具の先端部に、上記多孔質部材が取り付けられているものであってもよい。【００２９】
上記構成によれば、押し込み器具によって、上記多孔質部材を好適にサンプル分離媒体に押し込むことができる。【００３０】
本発明に係る電気泳動用カセットでは、上記多孔質部材が、樹脂、ろ紙、アガロースゲルおよびガラスフィルターからなる群より選ばれる物質からなることが好ましい。【００３１】
上記構成によれば、多孔質部材が未分離のサンプルを好適に含有することができ、多孔質部材からサンプル分離媒体にサンプルを好適に導入することができる。また、これら物質がサンプル分離媒体内に挿入されても、電気泳動にほとんど影響を与えない。【００３２】
本発明に係る電気泳動用カセットでは、上記多孔質部材が、親水化されていることが好ましい。【００３３】
上記構成によれば、多孔質部材が未分離のサンプルをより好適に含有することができ、多孔質部材からサンプル分離媒体にサンプルをより好適に導入することができる。【００３４】
本発明に係る電気泳動用カセットでは、上記サンプル分離媒体が、ゲルからなることが好ましい。【００３５】
上記構成によれば、サンプル分離媒体が柔らかいため、押し込み部材によって多孔質部材を首尾よくサンプル分離媒体に押し込むことができる。また、電気泳動を好適に行うことができる。【００３６】
本発明に係る電気泳動用カセットは、複数の上記多孔質部材を備え、上記押し込み器具は、上記複数の多孔質部材の各々をそれぞれ上記サンプル分離媒体側に押し込む複数の押し込み部を備えているものであってもよい。【００３７】
上記構成によれば、未分離のサンプルを含有する複数の多孔質部材を同時にサンプル分離媒体に押し込むことができ、複数の多孔質部材内のサンプルを同時に電気泳動することができる。【００３８】
本発明に係る電気泳動方法は、未分離のサンプルを含有する多孔質部材が、上記未分離のサンプルを分離するためのサンプル分離媒体に押し込まれるように、押し込み器具を用いて上記多孔質部材または上記サンプル分離媒体を押圧する押し込み工程と、押し込んだ上記多孔質部材から上記サンプル分離媒体に移動した上記未分離のサンプルを電気泳動する電気泳動工程とを包含していることを特徴としている。【００３９】
上記構成によれば、本発明に係る電気泳動用カセットと同様の効果を奏する。【００４０】
本発明に係る電気泳動方法は、上記サンプル分離媒体上に、上記サンプル分離媒体に密着するとともに、上記多孔質部材を上記サンプル分離媒体まで挿通させる貫通孔が設けられた補助器具が配置されており、上記押し込み工程の前に、上記貫通孔に上記未分離のサンプルを含むサンプル溶液をアプライするアプライ工程と、上記アプライ工程の後、上記押し込み工程の前に、上記サンプル溶液がアプライされた上記貫通孔に上記多孔質部材を挿入することで、上記多孔質部材に上記未分離のサンプルを含有させるサンプル導入工程とをさらに包含するものであってもよい。【００４１】
上記構成によれば、補助器具に設けられた貫通孔に未分離のサンプルを含むサンプル溶液をアプライする。そして、サンプル溶液がアプライされた貫通孔に多孔質部材を挿入することによって、多孔質部材に未分離のサンプルを首尾よく含有させることができる。これにより、サンプルを多孔質部材に導入するための操作を別途行うことなく、容易に多孔質部材にサンプルを導入することができる。【００４２】
本発明に係る電気泳動方法は、上記押し込み工程の前に、上記未分離のサンプルを含むサンプル溶液をサンプル導入用容器に入れる注入工程と、上記注入工程の後、上記押し込み工程の前に、上記サンプル溶液が入った上記サンプル導入用容器に上記多孔質部材を挿入することで、上記多孔質部材に上記未分離のサンプルを含有させるサンプル導入工程とをさらに包含するものであってもよい。【００４３】
上記構成によれば、サンプル溶液が入れられたサンプル導入用容器に多孔質部材を挿入することにより、未分離のサンプルを多孔質部材に容易に導入することができる。【００４４】
上記電気泳動方法において、上記注入工程では、アガロースを上記サンプル導入用容器に入れ、上記サンプル導入工程では、上記サンプル導入用容器内の該アガロースを加熱して溶融させるようにしてもよい。【００４５】
上記構成によれば、サンプル導入用容器に入れたアガロースを加熱して溶融させることにより、アガロースをサンプル溶液に溶解させることができる。これにより、多孔質部材に未分離のサンプルを含有させる際に、アガロースを併せて含有させることができる。アガロースは多孔質部材内にて固化するため、押し込み工程前に、未分離のサンプルが多孔質部材から外部に移動することを防止することができる。従って、未分離のサンプルを効率的に多孔質部材に導入することができる。
【発明の効果】
【００４６】
本発明によると、サンプル分離媒体にウェルを形成することなく、容易にサンプルをサンプル分離媒体に導入することができる電気泳動用カセットおよびその関連技術を提供することができる。
【図面の簡単な説明】
【００４７】
【図１】本発明の一実施形態に係る電気泳動用カセットの構成を模式的に示す斜視図である。
【図２】本発明の一実施形態に係る電気泳動用カセットの構成を模式的に示す断面図である。
【図３】（ａ）は本発明の一実施形態に係るサンプル分離部の構成を模式的に示す斜視図であり、（ｂ）は本発明の一実施形態に係るサンプル分離部の補助器具を取り除いたときの構成を模式的に示す斜視図である。
【図４】本発明の他の実施形態に係る電気泳動用カセットの構成を模式的に示す斜視図である。
【図５】本発明の一実施形態に係る押し込み器具と未分離のサンプルを含有する多孔質部材とのバリエーションを示す拡大図である。
【図６】本発明の一実施形態に係る押し込み器具と未分離のサンプルを含有する多孔質部材との別のバリエーションを示す拡大図である。
【図７】本発明の他の実施形態に係る押し込み器具と未分離のサンプルを含有する多孔質部材とのバリエーションを示す拡大図である。
【図８】多孔質部材に未分離のサンプルを導入する方法を示す概略図である。
【図９】本発明の一実施形態に係るサンプル分離媒体へ未分離のサンプルを含有する多孔質部材を押し込む方法を示す概略図である。
【図１０】本発明の一実施形態に係るサンプル分離媒体へ未分離のサンプルを含有する多孔質部材を押し込む別の方法を示す概略図である。
【発明を実施するための形態】
【００４８】
以下、本発明の実施の形態について、詳細に説明する。
【００４９】
〔第１実施形態〕
まず、本発明の第１実施形態を、図１および２を用いて詳細に説明する。図１は、本発明の一実施形態に係る電気泳動用カセットの構成を模式的に示す斜視図であり、図２は、図１においてＡ−Ａで示す矢印断面図である。
【００５０】
（電気泳動用カセット）
本発明の一実施形態に係る電気泳動用カセット１００は、タンパク質、核酸などの分離対象サンプルおよび／またはその対照サンプルを、電気泳動時の移動速度等の違いに基づいて分離する電気泳動装置に着脱可能に設置されるものである。
【００５１】
図１に示すように、電気泳動用カセット１００は、バッファーセル１０１、電気泳動緩衝液槽１０２、サンプル分離媒体支持板（絶縁物）１１１、１１３、サンプル分離媒体１１２、補助器具１２０、未分離のサンプルを含有する多孔質部材１３２および押し込み器具１３１を備えている。
【００５２】
バッファーセル１０１は、サンプル分離部１１０を収納するものである。そしてバッファーセル１０１の中心部にサンプル分離部１１０を収納することでバッファーセル１−１の両側に電気泳動緩衝液槽１０２がそれぞれ形成される。
【００５３】
両側に形成された２つの電気泳動緩衝液槽１０２は、電気泳動を行うために使用する緩衝液をそれぞれ充填するための液槽であり、対になってサンプル分離部１１０を挟んでいる。
【００５４】
電気泳動用カセット１００は電気泳動緩衝液槽１０２を緩衝液で満たし、電極等を当該緩衝液槽に設置し、電圧を２つの電気泳動緩衝液槽１０２の間に印加することによって、サンプル分離媒体１１２に導入された未分離のサンプルを図１および２中の矢印Ｘ方向に分離することができる。
【００５５】
（未分離のサンプル）
未分離のサンプルは、予め電気泳動等により分離されていないサンプルであり、本実施形態に係る電気泳動用カセットを用いた電気泳動によって分離される。なお、未分離のサンプルを、多孔質部材１３２に導入する方法については後述する。
【００５６】
（サンプル分離部）
次に、サンプル分離部１１０の個々の構成物について図３を用いて説明する。図３は、（ａ）は本発明の一実施形態に係るサンプル分離部の構成を模式的に示す斜視図であり、（ｂ）はサンプル分離部の補助器具を取り除いたときの構成を模式的に示す斜視図である。
【００５７】
図３に示すように、サンプル分離部１１０は、サンプル分離媒体支持板１１１、サンプル分離媒体１１２、サンプル分離媒体支持板１１３および補助器具１２０がこの順番に積層することによって形成されている。また、補助器具１２０に、貫通孔１２１、１２２が設けられており、当該貫通孔は、多孔質部材１３２および押し込み器具１３１をサンプル分離媒体１１２まで挿通させるために設けられている。なお、公知の接着剤および接着方法を用いることによって、サンプル分離媒体支持板１１３と補助器具１２０とを接着させることができる。
【００５８】
（サンプル分離媒体）
サンプル分離媒体１１２は、未分離のサンプルを導入し、電気泳動することで種々のサンプルをその性質に応じて分離する媒体である。
【００５９】
サンプル分離媒体１１２は、後述するサンプル分離媒体支持板１１１、１１３の間に挟持されている。また、サンプル分離媒体１１２を、サンプル分離媒体支持板１１１、１１３およびスペーサーによって形成される空間で作製してもよく、また、別途作製したサンプル分離媒体１１２を、当該空間に移動させ、固定してもよい。例えば、サンプル分離媒体１１２がアクリルアミドゲルである場合には、上記空間内にアクリルアミド溶液を流し込み、アクリルアミドを重合させることによってアクリルアミドゲルを形成してもよく、作製したアクリルアミドゲルを当該空間に移動させ、固定してもよい。
【００６０】
サンプル分離媒体１１２としては、サンプルを導入し、分離することができる媒体であれば限定されないが、例えば、ゲルが好ましい。ゲルとしては、例えば、ポリアクリルアミド、アガロース、寒天、およびデンプンからなる群より選ばれるゲル化剤によりゲル化されたものが挙げられる。また、ゲルとしては、アガロースゲルまたはポリアクリルアミドゲルがよく用いられる。
【００６１】
（サンプル分離媒体支持板）
サンプル分離媒体支持板１１１、１１３は両支持板の間にサンプル分離媒体１１２を挟持する支持板である。サンプル分離媒体支持板１１１は、サンプル分離媒体１１２の下側に配置され、サンプル分離媒体支持板１１３は、サンプル分離媒体１１２の上側に配置される。サンプル分離媒体支持板１１３は、サンプル分離媒体支持板１１１よりも図１および２の矢印Ｘ方向において短いため、サンプル分離媒体１１２の一部は、サンプル分離媒体支持板１１３から露出している。そして、露出していないサンプル分離媒体１１２はサンプル分離媒体支持板１１３と接触しているとともに、露出したサンプル分離媒体１１２は後述する補助器具１２０に覆われている。
【００６２】
サンプル分離媒体支持板１１１、１１３の材料としては、絶縁物を好適に使用することが可能である。これにより、サンプル分離媒体を絶縁物に収納し、通常のスラブ式電気泳動等のように電気泳動を行うことができる。絶縁物として、例えば、アクリル樹脂、ポリスチレン、ポリエチレンテレフタラート等の樹脂、あるいは、ガラス、セラミック等を用いることにより、好適に支持板を形成することができる。サンプル分離媒体支持板１１１、１１３はサンプル分離媒体１１２の両脇に配置されたスペーサー（図示せず）を介して接着されており、サンプル分離媒体１１２を収納することができる。
【００６３】
（補助器具）
補助器具１２０は、サンプル分離媒体支持板１１３と嵌合しており、サンプル分離媒体支持板１１３から露出しているサンプル分離媒体１１２の露出部分を覆っている。また、補助器具１２０は、貫通孔１２１、１２２を有しているが、貫通孔の大きさについては、多孔質部材１３２および押し込み器具１３１をサンプル分離媒体１１２まで挿通させることができる程度の大きさがあればよく、貫通孔の数については、特に限定されない。
【００６４】
貫通孔１２１、１２２が設けられている箇所におけるサンプル分離媒体１１２の上面は露出しており、補助器具１２０の貫通孔１２１、１２２とサンプル分離媒体１１２の上面と、は溝部を形成している。上記溝部に未分離のサンプルを含有する多孔質部材１３２および押し込み器具１３１を挿入することにより、未分離のサンプルをサンプル分離媒体１１２に導入することができる。
【００６５】
補助器具１２０を形成する材料としては、例えば、アクリル樹脂、ポリスチレン、ポリエチレンテレフタラート等の樹脂、あるいは、ガラス、セラミック等が挙げられる。これら材料を用いることにより、電気泳動に供する補助器具１２０を好適に形成することができる。
【００６６】
（押し込み器具）
押し込み器具１３１は、多孔質部材１３２がサンプル分離媒体１１２に押し込まれるように、多孔質部材１３２またはサンプル分離媒体１１２を押圧するために用いる器具である。なお、押し込み器具１３１は、硬質の素材から形成されることが好ましく、押し込み器具１３１の材料としては、例えば、アクリル樹脂、ポリスチレン、ポリエチレンテレフタラート、エポキシ樹脂等の樹脂、あるいは、ガラス、セラミック等が挙げられる。
【００６７】
（多孔質部材）
多孔質部材１３２は、未分離のサンプルを含有し、サンプル分離媒体１１２と接触することにより、未分離のサンプルをサンプル分離媒体１１２に移動させる多孔質性の部材である。
【００６８】
多孔質部材１３２としては、未分離のサンプルを含有させることができ、含有させた当該サンプルをサンプル分離媒体１１２に導入することができる部材であれば、限定されないが、樹脂、ろ紙、アガロースゲル、ガラスフィルターといった物質を挙げることができる。樹脂としては、これらに限定されないが、例えば、エポキシ樹脂、アクリル樹脂等を好適に用いることができる。また、樹脂の形態としては、例えば、貫通孔を有するフィルターの形態を好適に用いることができる。すなわち、多孔質部材１３２として用いられる樹脂は、例えば、樹脂フィルターであり得る。これらの物質を用いれば、サンプル分離媒体１１２にサンプルを好適に導入することができ、サンプル分離媒体１１２内に挿入されても、電気泳動にほとんど影響を与えない。
【００６９】
なお、多孔質部材１３２は、親水化されていることがより好ましい。多孔質部材１３２を親水化することにより、未分離のサンプルを含有するサンプル溶液を容易に多孔質部材１３２に導入することができる。
【００７０】
例えば、エポキシ樹脂、アクリル樹脂、ガラスフィルター等からなる多孔質部材１３２は、例えば、コロナ放電処理、オゾン照射、プラズマ重合処理、プライマー処理といった方法により親水化することができる。なお、ろ紙、アガロースゲル等からなる多孔質部材１３２は、親水性であるため、親水化は必要ない。
【００７１】
なお、未分離のサンプルを含有する多孔質部材１３２と押し込み器具１３１とは別々の部材であってもよく、また、両者は接着されていてもよい。多孔質部材１３２と押し込み器具１３１とは、公知の接着方法、例えば、両面テープ等を用いることによって接着可能である。
【００７２】
（押し込み器具と多孔質部材とのバリエーションについて）
以下では、押し込み器具１３１と多孔質部材１３２とのバリエーションについて、図５および６を用いて説明する。図５および６は、本発明の一実施形態に係る押し込み器具と未分離のサンプルを含有する多孔質部材とのバリエーションを示す拡大図である。より詳細には、図５（ｂ）、（ｇ）および（ｌ）、ならびに、図６（ｂ）および（ｈ）は、それぞれ図５（ａ）、（ｆ）および（ｋ）、ならびに、図６（ａ）および（ｇ）の正面図であり、図５（ｃ）、（ｈ）および（ｍ）ならびに図６（ｃ、ｄ）および（ｉ）は、それぞれ図５（ａ）、（ｆ）および（ｋ）ならびに図６（ａ）および（ｇ）の側面図である。また、図５（ｄ）、（ｉ）および（ｎ）ならびに図６（ｅ）および（ｊ）は、それぞれ多孔質部材１３２をサンプル分離媒体１１２に押し込む前の断面図であり、図５（ｅ）、（ｊ）および（ｏ）ならびに図６（ｆ）および（ｋ）は、それぞれ多孔質部材１３２をサンプル分離媒体１１２に押し込んだ後の断面図である。
【００７３】
図５（ａ）〜（ｅ）には、基本的な押し込み器具１３１および未分離のサンプルを含有する多孔質部材１３２が示されている。多孔質部材１３２は、押し込み器具１３１に接着されている必要はないが、図に示すように、多孔質部材１３２と押し込み器具とが接着している場合には、貫通孔１２１、１２２にこれらを挿通するのがより簡便である。
【００７４】
図５（ｆ）〜（ｊ）には、上記基本的な押し込み器具１３１および多孔質部材１３２の変形例が示されている。図に示すように、押し込み器具１３１は多孔質部材１３２が接着されていない側の端部に、貫通孔１２１よりも幅が広い当接部（第二当接部）１４３を有している。そのため、図５（ｉ）および（ｊ）に示すように、押し込み器具１３１を貫通孔１２１に挿入し、多孔質部材１３２をサンプル分離媒体１１２に押し込んだときに、当接部１４３が補助器具１２０の上面（第一当接部）と当接する。
【００７５】
つまり、押し込み器具１３１をサンプル分離媒体１１２に強く押し込んだ場合であっても、当接部１４３と補助器具１２０の上面とが互いに当接し、サンプル分離媒体１１２内での多孔質部材１３２の移動が停止する。よって、サンプル分離媒体１１２内に、押し込み器具１３１および多孔質部材１３２を押し込んだときの押し込み長を常に一定にすることができる。よって、押し込み器具１３１および多孔質部材１３２がサンプル分離媒体１１２に過度に入り込むことを防ぎ、未分離のサンプルの電気泳動結果を乱すことを防止できる。なお、多孔質部材１３２を押し込む方向における、貫通孔１２１の深さおよびサンプル分離媒体の長さ、ならびに押し込み器具１３１および多孔質部材１３２の形状を適宜調整することによって、上記押し込み長を予め定めることができる。
【００７６】
図６（ｇ）〜（ｋ）に示すように、押し込み器具１３１は、その側面に凹形状（第二当接部）１４６を備え、貫通孔１２１は、その側面に凸形状（第一当接部）１４７を備えていてもよい。これにより、図６（ｊ）および（ｋ）に示すように、押し込み器具１３１を貫通孔１２１に挿入し、多孔質部材１３２をサンプル分離媒体１１２に押し込んだときに、凹形状１４６が凸形状１４７と当接し、サンプル分離媒体１１２内での多孔質部材１３２の移動が停止する。よって、上記同様、サンプル分離媒体１１２内に、押し込み器具１３１および多孔質部材１３２を押し込んだときの押し込み長を常に一定にすることができる。よって、押し込み器具１３１および多孔質部材１３２がサンプル分離媒体１１２に過度に入り込むことを防ぎ、未分離のサンプルの電気泳動結果を乱すことを防止できる。
【００７７】
図５（ｋ）〜（ｏ）に示すように、押し込み器具１３１の底面（押し込み器具１３１におけるサンプル分離媒体１１２側の先端部）に凹部（くり抜き部）１４４が形成され、凹部１４４内に、未分離のサンプルを含有する多孔質部材１３２が装填されていてもよい。これにより、電気泳動を行うまでに時間が経過したとしても、多孔質部材１３２をサンプル分離媒体１１２に押し込まなければ、両者が接触することはない。よって、多孔質部材１３２をサンプル分離媒体１１２に押し込む前に未分離のサンプルがサンプル分離媒体１１２に拡散することを防止できる。
【００７８】
さらに、押し込み器具１３１をサンプル分離媒体１１２に押し込んだときに、図５（ｏ）に示すように、多孔質部材１３２ではなく、硬質な素材からなる押し込み器具１３１とサンプル分離媒体支持板１１１とが接触する。そのため、サンプル分離媒体１１２の同じ位置に未分離のサンプルを含有する多孔質部材１３２を常に挿入することができる。
【００７９】
図６（ａ）〜（ｆ）に示すように、押し込み器具１３１の側面に貫通部（くりぬき部）１４５が形成され、貫通部１４５内に、未分離のサンプルを含有する多孔質部材１３２が装填されていてもよい。これにより、電気泳動を行うまでに時間が経過したとしても、多孔質部材１３２をサンプル分離媒体１１２に押し込まなければ、両者が接触することはない。
【００８０】
なお、押し込み器具の側面には貫通部ではなく、多孔質部材１３２を装填するための窪みが形成されていてもよい。これにより、上記と同様に、未分離のサンプルを含有する多孔質部材１３２をサンプル分離媒体１１２に押し込む前に未分離のサンプルがサンプル分離媒体１１２に拡散することを防止でき、かつ、サンプル分離媒体１１２の同じ位置に多孔質部材１３２を常に挿入することができる。
【００８１】
さらに、図６（ａ）〜（ｃ）に示すように、押し込み器具１３１の底面（押し込み器具１３１におけるサンプル分離媒体１１２側の先端部）に、サンプル分離媒体１１２に向かって突出する鋭角部が形成されていてもよい。これにより、押し込み器具１３１でサンプル分離媒体１１２を押圧するときに、押し込み器具１３１の鋭角部がサンプル分離媒体１１２と接触するため、サンプル分離媒体１１２と押し込み器具１３１との密着面に空気などの気体が入り込むことを防止できる。
【００８２】
（電気泳動方法）
以下、本発明の一実施形態に係る電気泳動方法について説明する。まず、本発明の一実施形態に係る電気泳動方法は、未分離のサンプルを含有する多孔質部材１３２が、上記サンプルを分離するためのサンプル分離媒体１１２に押し込まれるように多孔質部材１３２またはサンプル分離媒体１１２を押圧する押し込み工程と、押し込んだ多孔質部材１３２からサンプル分離媒体１１２に移動した未分離のサンプルを電気泳動する電気泳動工程とを包含していることを特徴としている。
【００８３】
また、本実施形態に係る電気泳動方法は、上記押し込み工程の前に、貫通孔１２１にサンプル溶液をアプライするアプライ工程と、サンプルを含有しない多孔質部材１３３に未分離のサンプルを含有させるサンプル導入工程と、をさらに包含していてもよい。以下、上記の各工程について図を用いて説明する。
【００８４】
（サンプル導入工程）
まず、図８を用いて、サンプルを含有しない多孔質部材（以下、「多孔質部材」ともいう。）１３３に未分離のサンプルを導入するサンプル導入工程について説明する。図８は、多孔質部材に未分離のサンプルを導入する方法を示す概略図である。
【００８５】
図８（ａ）および（ｂ）は、基本的なサンプル導入方法を示す図である。まず、サンプルローディングチップ（サンプル導入用容器）１３６に設置されたウェルにサンプル溶液１３５を入れる（注入工程）。サンプル溶液１３５は、未分離のサンプルを含有している。そして、サンプルを含有しないろ紙等の多孔質部材１３３を押し込み器具１３１の先端に貼り付け、サンプル溶液１３５が導入されたウェル内に、押し込み器具１３１および多孔質部材１３３を挿入し、多孔質部材１３３をサンプル溶液１３５に浸す。これにより、未分離のサンプルを多孔質部材１３３に容易に導入することができる。なお、多孔質部材１３３と押し込み器具１３１とは、公知の接着方法、例えば、両面テープを用いることによって接着可能である。
【００８６】
図８（ｃ）および（ｄ）は、サンプル導入方法の変形例を示す図である。本変形例では、サンプルローディングチップ１３６に、予め、ＳＤＳ−ＰＡＧＥローディングバッファーを含有するアガロースを入れておき、その後に、サンプルローディングチップ１３６に、サンプル溶液１３５を入れる。次に、ヒートブロック１３７にサンプルローディングチップ１３６を設置し、加熱することでアガロースが溶融し、サンプル溶液１３５に溶解する。そして、押し込み器具１３１の先端に貼り付けられた多孔質部材１３３を、アガロースが溶解したサンプル溶液１３５に浸す。これにより、多孔質部材に未分離のサンプルと溶解したアガロースとを導入することができる。そして、アガロースは多孔質部材１３３内にて固化するため、後に説明する押し込み工程前に未分離のサンプルが多孔質部材１３３から外部に移動することを防止できる。よって、未分離のサンプルを効率的に多孔質部材１３３に導入することができる。
【００８７】
図８（ｅ）および（ｆ）は、サンプル導入方法の別の変形例を示す図である。まず、補助器具１２０に形成された貫通孔１２１に未分離のサンプルを含有するサンプル溶液１３５を添加する（アプライ工程）。そこへ押し込み器具１３１の先端に貼り付けられた多孔質部材１３３を挿入し、多孔質部材１３３をサンプル溶液１３５に浸す。これにより、上記図８（ａ）〜（ｄ）に示すような未分離のサンプルを多孔質部材１３３に導入するための機構（例えば、サンプルローディングチップ１３６）を特に設けることなく、簡単に多孔質部材１３３に未分離のサンプルを導入することができる。
【００８８】
（押し込み工程）
次に、未分離のサンプルを含有する多孔質部材１３２が、サンプル分離媒体１１２に押し込まれるように、多孔質部材１３２またはサンプル分離媒体１１２を押圧する押し込み工程について、図９および１０を用いて説明する。図９は、本発明の一実施形態に係るサンプル分離媒体へ未分離のサンプルを含有する多孔質部材を押し込む方法を示す概略図であり、図１０は、サンプル分離媒体へ未分離のサンプルを含有する多孔質部材を押し込む別の方法を示す概略図である。
【００８９】
まず、図９（ａ）に示すように、押し込み器具１３１および未分離のサンプルを含有する多孔質部材１３２を補助器具１２０の貫通孔１２１に挿入する。そして、押し込み器具１３１および多孔質部材１３２を押圧する押圧部材１４１を、押し込み器具１３１の上まで移動させる。
【００９０】
図９（ｂ）および（ｃ）に示すように、押圧部材１４１を押し込み器具１３１の頭上まで移動させた後、押し込み器具１３１および多孔質部材１３２を押圧し、サンプル分離媒体１１２へ未分離のサンプルを含有する多孔質部材１３２を押し込む。
【００９１】
なお、押圧部材１４１は、押し込み器具１３１を支持した状態で、貫通孔１２１まで押し込み器具１３１および多孔質部材１３２を運搬する構成を有していてもよい。
【００９２】
また、図１０（ａ）および（ｂ）に示すように、押圧部材１４１を用いることなく、未分離のサンプルを含有する多孔質部材１３２および押し込み器具１３１を運搬し、貫通孔１２１に挿入してもよい。そして、図１０（ｃ）に示すように、押し込み器具１３１および多孔質部材１３２を押圧し、サンプル分離媒体１１２へ未分離のサンプルを含有する多孔質部材１３２を押し込んでもよい。
【００９３】
なお、サンプル分離媒体１１２へ未分離のサンプルを含有する多孔質部材１３２を押し込む動作は、自動動作であってもよく、また手作業であってもよい。
【００９４】
そして、多孔質部材１３２をサンプル分離媒体１１２に押し込むことによって、未分離のサンプルは、サンプル分離媒体に移動する。よって、多孔質部材１３２を挿入したサンプル分離媒体１１２の位置に未分離のサンプルを導入することができ、当該サンプルはサンプル分離媒体１１２に拡散することを防止できる。よって、サンプル分離媒体１１２の最適な位置に未分離のサンプルを導入することができる。
【００９５】
さらに、サンプル分離媒体１１２にウェルを形成することなく、簡易に未分離のサンプルをサンプル分離媒体１１２に導入することができる。
【００９６】
（電気泳動工程）
上記押し込み工程後に、押し込んだ多孔質部材１３２からサンプル分離媒体１１２に移動した未分離のサンプルを電気泳動する（電気泳動工程）。電気泳動を行うことにより、サンプルの性質に応じてサンプルが分離される。上述の通り、未分離のサンプルがサンプル分離媒体１１２に拡散することを防止できるため、電気泳動時には高い分解能が得られる。
【００９７】
〔第２実施形態〕
第１実施形態では、押し込み器具１３１が一つの多孔質部材１３２を押圧する構成について説明しているが、本実施形態においては、押し込み器具１３１が、複数の多孔質部材１３２の各々をそれぞれ押し込む複数の押し込み部１４２を備えている構成について、図４および７を用いて説明する。なお、第１実施形態と同一の部材については、同一の番号を付し、その説明を省略し、第１実施形態と同様の方法等（電気泳動方法、サンプル導入工程等）については、その説明を省略する。
【００９８】
図４は、本発明の他の実施形態に係る電気泳動用カセットの構成を模式的に示す斜視図であり、図７は、本発明の他の実施形態に係る押し込み器具と未分離のサンプルを含有する多孔質部材とのバリエーションを示す拡大図である。図７の（ｂ）、（ｅ）および（ｈ）は、それぞれ図７の（ａ）、（ｄ）および（ｇ）の正面図であり、図７の（ｃ）、（ｆ）および（ｉ）は、それぞれ図７の（ａ）、（ｄ）および（ｇ）の側面図である。
【００９９】
図４および図７（ａ）〜（ｃ）に示すように、押し込み器具１３１は、複数の押し込み部１４２を備えており、各押し込み部１４２は、多孔質部材１３２と接着している。また、補助器具１２０に、押し込み器具１３１および複数の多孔質部材１３２をサンプル分離媒体１１２まで挿通させる貫通孔１２２が設けられている。これにより、未分離のサンプルを含有する複数の多孔質部材１３２を同時にサンプル分離媒体１１２に押し込むことができ、複数の多孔質部材１３２内のサンプルを同時に電気泳動することができる。
【０１００】
図７（ｄ）〜（ｆ）には、図７（ａ）〜（ｃ）に示す押し込み器具１３１および多孔質部材１３２の変形例が示されている。図において、複数の押し込み部１４２の底面（押し込み部１４２におけるサンプル分離媒体１１２側の先端部）にそれぞれ形成された凹部１４４内に、未分離のサンプルを含有する多孔質部材１３２がそれぞれ装填されている。これにより、第１実施形態に係る図５（ｋ）〜（ｏ）に示されている構成と同様の効果を有する。
【０１０１】
図７（ｇ）〜（ｉ）には、図７（ａ）〜（ｃ）に示す押し込み器具１３１および多孔質部材１３２の別の変形例が示されている。図において、複数の押し込み部１４２の側面にそれぞれ形成された貫通部（くり抜き部）１４５内に、未分離のサンプルを含有する多孔質部材１３２がそれぞれ装填されている。これにより、上記図７（ｄ）〜（ｆ）に示されている構造と同様の効果を有する。
【０１０２】
さらに、図７（ｇ）〜（ｉ）に示すように、複数の押し込み部１４２の底面（押し込み部１４２におけるサンプル分離媒体１１２側の先端部）に、それぞれサンプル分離媒体１１２に向かって突出する鋭角部が形成されている。これにより、第１実施形態に係る図６（ａ）〜（ｃ）に示されている構造と同様の効果を有する。
【０１０３】
なお、その他の構造として、図５および６に示されている押し込み器具１３１と未分離のサンプルを含有する多孔質部材１３２とが複数連なった構造を有していてもよい。
【０１０４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０５】
本発明に係る電気泳動用カセットは各種試料（特に、生体試料）の分析装置の製造分野において利用可能である。
【符号の説明】
【０１０６】
１００  電気泳動用カセット
１０１  バッファーセル
１０２  電気泳動緩衝液槽
１１０  サンプル分離部
１１１、１１３  サンプル分離媒体支持板（絶縁物）
１１２  サンプル分離媒体
１２０  補助器具
１２１、１２２  貫通孔
１３１  押し込み器具
１３２  多孔質部材
１３３  サンプルを含有しない多孔質部材
１３５  サンプル溶液
１３６  サンプルローディングチップ（サンプル導入用容器）
１３７  ヒートブロック
１４１  押圧部材
１４２  押し込み部
１４３  当接部（第二当接部）
１４４  凹部（くりぬき部）
１４５  貫通部（くりぬき部）
１４６  凹形状（第二当接部）
１４７  凸形状（第一当接部）
【図１】
2013183614.tif 000003
【図２】
2013183614.tif 000004
【図３】
2013183614.tif 000005
【図４】
2013183614.tif 000006
【図５】
2013183614.tif 000007
【図６】
2013183614.tif 000008
【図７】
2013183614.tif 000009
【図８】
2013183614.tif 000010
【図９】
2013183614.tif 000011
【図１０】
2013183614.tif 000012
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
未分離のサンプルを含有する多孔質部材と、
上記サンプルを分離するためのサンプル分離媒体と、
上記多孔質部材が上記サンプル分離媒体に押し込まれるように上記多孔質部材または上記サンプル分離媒体を押圧する押し込み器具と、
上記サンプル分離媒体上に配置され、上記サンプル分離媒体に密着している補助器具とを備えており、
上記補助器具に、上記多孔質部材および上記押し込み器具を上記サンプル分離媒体まで挿通させる貫通孔が設けられていることを特徴とする電気泳動用カセット。
【請求項２】
上記サンプル分離媒体を、その上面の一部を露出させて収納する絶縁物を備えており、
上記補助器具は、上記絶縁物に嵌合するとともに、上記サンプル分離媒体の露出部分に密着していることを特徴とする請求項１に記載の電気泳動用カセット。
【請求項３】
上記補助器具は、第一当接部を備えており、
上記押し込み器具は、第二当接部を備えており、
上記第一当接部および上記第二当接部は、上記多孔質部材が上記サンプル分離媒体に予め定められた長さまで押し込まれたとき、互いに当接して上記多孔質部材の移動を停止させるようになっていることを特徴とする請求項１または２に記載の電気泳動用カセット。
【請求項４】
上記押し込み器具の側面に、くりぬき部が形成されており、
上記くりぬき部内に、上記多孔質部材が装填されていることを特徴とする請求項１〜３の何れか一項に記載の電気泳動用カセット。
【請求項５】
上記押し込み器具の先端部に、上記サンプル分離媒体に向かって突出する鋭角部が形成されていることを特徴とする請求項１〜４の何れか一項に記載の電気泳動用カセット。
【請求項６】
上記押し込み器具の先端部に、上記多孔質部材が取り付けられていることを特徴とする請求項１〜３の何れか一項に記載の電気泳動用カセット。
【請求項７】
上記多孔質部材が、樹脂、ろ紙、アガロースゲルおよびガラスフィルターからなる群より選ばれる物質からなることを特徴とする請求項１〜６の何れか一項に記載の電気泳動用カセット。
【請求項８】
上記多孔質部材が、親水化されていることを特徴とする請求項１〜７の何れか一項に記載の電気泳動用カセット。
【請求項９】
上記サンプル分離媒体が、ゲルからなることを特徴とする請求項１〜８の何れか一項に記載の電気泳動用カセット。
【請求項１０】
複数の上記多孔質部材を備え、上記押し込み器具は、上記複数の多孔質部材の各々をそれぞれ上記サンプル分離媒体側に押し込む複数の押し込み部を備えていることを特徴とする請求項１〜９の何れか一項に記載の電気泳動用カセット。
【請求項１１】
未分離のサンプルを含有する多孔質部材が、上記未分離のサンプルを分離するためのサンプル分離媒体に押し込まれるように、押し込み器具を用いて上記多孔質部材または上記サンプル分離媒体を押圧する押し込み工程と、
押し込んだ上記多孔質部材から上記サンプル分離媒体に移動した上記未分離のサンプルを電気泳動する電気泳動工程とを包含し、
上記サンプル分離媒体上に、上記サンプル分離媒体に密着するとともに、上記多孔質部材を上記サンプル分離媒体まで挿通させる貫通孔が設けられた補助器具が配置されており、
上記押し込み工程の前に、上記貫通孔に上記未分離のサンプルを含むサンプル溶液をアプライするアプライ工程と、
上記アプライ工程の後、上記押し込み工程の前に、上記サンプル溶液がアプライされた上記貫通孔に上記多孔質部材を挿入することで、上記多孔質部材に上記未分離のサンプルを含有させるサンプル導入工程とをさらに包含することを特徴とする電気泳動方法。
【請求項１２】
未分離のサンプルを含有する多孔質部材が、上記未分離のサンプルを分離するためのサンプル分離媒体に押し込まれるように、押し込み器具を用いて上記多孔質部材または上記サンプル分離媒体を押圧する押し込み工程と、
押し込んだ上記多孔質部材から上記サンプル分離媒体に移動した上記未分離のサンプルを電気泳動する電気泳動工程と、
上記押し込み工程の前に、上記未分離のサンプルを含むサンプル溶液をサンプル導入用容器に入れる注入工程と、
上記注入工程の後、上記押し込み工程の前に、上記サンプル溶液が入った上記サンプル導入用容器に上記多孔質部材を挿入することで、上記多孔質部材に上記未分離のサンプルを含有させるサンプル導入工程とを包含することを特徴とする電気泳動方法。
【請求項１３】
上記注入工程では、アガロースを上記サンプル導入用容器に入れ、
上記サンプル導入工程では、上記サンプル導入用容器内の該アガロースを加熱して溶融させることを特徴とする請求項１２に記載の電気泳動方法。
【国際調査報告】
2013183614.tif 000013
2013183614.tif 000014
2013183614.tif 000015
2013183614.tif 000016